【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
出発地から目的地までの移動の記録に関する情報である移動記録情報の作成に用いられる
情報である移動記録基情報を取得する移動記録基情報取得部と、
前記移動記録基情報取得部が取得した移動記録基情報を用いて、前記移動記録情報を作成
する移動記録情報作成部と、
前記移動記録情報作成部が作成した移動記録情報を出力する出力部とを備え、
前記移動記録基情報取得部は、
出発地から目的地までの移動中に、当該移動中の現在の位置を示す情報である２以上の現
在位置情報を取得する現在位置情報取得手段と、
前記現在位置情報が示す位置に対応する地点に関する情報である２以上の地点情報を取得
する地点情報取得手段と、
前記現在位置情報に対応する時刻を示す情報である２以上の時刻情報を取得する時刻情報
取得手段とを備え、
前記移動記録情報作成部は、
前記地点情報と、当該地点情報に対応する時刻情報との組を、２以上有する移動記録情報
を作成する情報処理装置。
【請求項２】
前記移動記録基情報取得部は、
撮影し、当該撮影の結果である画像を取得する撮影手段をさらに備え、
前記移動記録情報作成部は、
前記地点情報と、当該地点情報に対応する時刻情報と、当該地点情報に対応する画像との
組を、２以上有する移動記録情報を作成する請求項１記載の情報処理装置。
【請求項３】
地図に関する情報である地図情報が格納される地図情報格納部をさらに備え、
前記移動記録基情報取得部は、
前記２以上の現在位置情報が示す位置を含む地図を示す地図情報である移動地図情報を、
前記地図情報格納部から取得する移動地図情報取得手段をさらに備え、
前記移動記録情報作成部は、
前記移動地図情報をも有する前記移動記録情報を作成する請求項１または請求項２記載の
情報処理装置。
【請求項４】
前記移動記録情報作成部は、
ユーザが投稿した文字を有する情報であり、前記現在位置情報に対応する情報である投稿
情報を取得する投稿情報取得手段と、
前記投稿情報が有する文字から、道路に関連する名称を示す情報である道路関連名称情報
を取得する道路関連名称情報取得手段とをさらに備え、
前記移動記録情報作成部は、
前記道路関連名称情報を、当該道路関連名称情報の取得に用いた現在位置情報に対応付け
るようにして、前記移動記録情報を作成する請求項１から請求項３いずれか一項に記載の
情報処理装置。
【請求項５】
ユーザを識別する情報であるユーザ識別情報が格納されるユーザ識別情報格納部と、
前記移動記録情報作成部が作成した移動記録情報と、前記ユーザ識別情報とを対応付けて
、サーバ装置に送信する送信部とをさらに備える請求項１から請求項４いずれか一項に記
載の情報処理装置。
【請求項６】
出発地から目的地までの移動の記録に関する情報である移動記録情報であり、ユーザを識
別する情報であるユーザ識別情報が対応付いた２以上の移動記録情報と、当該ユーザ識別
情報により識別されるユーザに関するランキングおよび当該移動記録情報に関するランキ
ングのいずれか一方または両方とが格納されるサーバ格納部と、
前記ユーザ識別情報が対応付いた前記移動記録情報を受信するサーバ受信部と、
前記サーバ受信部が受信した移動記録情報を、前記サーバ格納部に蓄積するサーバ蓄積部
と、
前記サーバ格納部に格納されている２以上の移動記録情報を用いて、当該移動記録情報に
対応付いているユーザ識別情報により識別されるユーザに関するランキングおよび当該移
動記録情報に関するランキングのいずれか一方または両方を作成するサーバ作成部とを備
え、
前記サーバ蓄積部は、
前記サーバ作成部が作成したランキングをも、前記サーバ格納部に蓄積するサーバ装置。
【請求項７】
前記サーバ格納部から移動記録情報を取得するサーバ取得部と、
前記サーバ取得部が取得した移動記録情報を送信するサーバ送信部とをさらに備え、
前記サーバ作成部は、
前記サーバ送信部により前記移動記録情報が送信された回数を用いて、前記ユーザに関す
るランキングおよび前記移動記録情報に関するランキングのいずれか一方または両方を作
成する請求項６記載のサーバ装置。
【請求項８】
前記移動記録情報には、当該移動記録情報を識別する情報である移動記録識別情報が対応
付いており、
前記サーバ受信部は、
前記移動記録識別情報が対応付いたコメントを受信し、
前記蓄積部は、
前記サーバ受信部が受信したコメントを、当該コメントに対応付いている移動記録識別情
報に対応する移動記録情報に対応付けて、前記サーバ格納部に蓄積する請求項６または請
求項７記載の情報処理装置。
【請求項９】
１または２以上の移動記録情報を受信する受信部と、
前記１または２以上の移動記録情報を用いて、当該移動記録情報が示す移動の記録に応じ
た経路の案内に関する情報である経路案内情報を作成する経路案内情報作成部とをさらに
備え、
前記出力部は、
前記経路案内情報作成部が作成した経路案内情報をも出力する請求項１から請求項５いず
れか一項に記載の情報処理装置。
【請求項１０】
移動記録基情報取得部と、移動記録情報作成部と、出力部と、現在位置情報取得手段と、
地点情報取得手段と、時刻情報取得手段とを用いて行われる情報処理方法であって、
前記移動記録基情報取得部が、
出発地から目的地までの移動の記録に関する情報である移動記録情報の作成に用いられる
情報である移動記録基情報を取得する移動記録基情報取得ステップと、
前記移動記録情報作成部が、
前記移動記録基情報取得部が取得した移動記録基情報を用いて、前記移動記録情報を作成
する移動記録情報作成ステップと、
前記出力部が、
前記移動記録情報作成部が作成した移動記録情報を出力する出力ステップとを備え、
前記移動記録基情報取得ステップは、
前記現在位置情報取得手段が、
出発地から目的地までの移動中に、当該移動中の現在の位置を示す情報である２以上の現
在位置情報を取得する現在位置情報取得サブステップと、
前記地点情報取得手段が、
前記現在位置情報が示す位置に対応する地点に関する情報である２以上の地点情報を取得
する地点情報取得サブステップと、
前記時刻情報取得手段が、
前記現在位置情報に対応する時刻を示す情報である２以上の時刻情報を取得する時刻情報
取得サブステップとを備え、
前記移動記録情報作成ステップでは、
前記移動記録情報作成部が、
前記地点情報と、当該地点情報に対応する時刻情報との組を、２以上有する移動記録情報
を作成する情報処理方法。
【請求項１１】
出発地から目的地までの移動の記録に関する情報である移動記録情報であり、ユーザを識
別する情報であるユーザ識別情報が対応付いた２以上の移動記録情報と、当該ユーザ識別
情報により識別されるユーザに関するランキングおよび当該移動記録情報に関するランキ
ングのいずれか一方または両方とが格納されるサーバ格納部と、
サーバ受信部と、サーバ蓄積部と、サーバ作成部とを用いて行われる情報処理方法であっ
て、
前記サーバ受信部が、
前記ユーザ識別情報が対応付いた前記移動記録情報を受信するサーバ受信ステップと、
前記サーバ蓄積部が、
前記サーバ受信部が受信した移動記録情報を、前記サーバ格納部に蓄積するサーバ蓄積ス
テップと、
前記サーバ作成部が、
前記サーバ格納部に格納されている２以上の移動記録情報を用いて、当該移動記録情報に
対応付いているユーザ識別情報により識別されるユーザに関するランキングおよび当該移
動記録情報に関するランキングのいずれか一方または両方を作成するサーバ作成ステップ
とを備え、
前記サーバ蓄積ステップでは、
前記サーバ蓄積部が、
前記サーバ作成部が作成したランキングをも、前記サーバ格納部に蓄積する情報処理方法
。
【請求項１２】
コンピュータを、
出発地から目的地までの移動の記録に関する情報である移動記録情報の作成に用いられる
情報である移動記録基情報を取得する移動記録基情報取得部、
前記移動記録基情報取得部が取得した移動記録基情報を用いて、前記移動記録情報を作成
する移動記録情報作成部、
前記移動記録情報作成部が作成した移動記録情報を出力する出力部として機能させ、
前記移動記録基情報取得部では、
出発地から目的地までの移動中に、当該移動中の現在の位置を示す情報である２以上の現
在位置情報を取得する現在位置情報取得手段、
前記現在位置情報が示す位置に対応する地点に関する情報である２以上の地点情報を取得
する地点情報取得手段、
前記現在位置情報に対応する時刻を示す情報である２以上の時刻情報を取得する時刻情報
取得手段として機能させ、
前記移動記録情報作成部では、
前記地点情報と、当該地点情報に対応する時刻情報との組を、２以上有する移動記録情報
を作成するためのプログラム。
【請求項１３】
出発地から目的地までの移動の記録に関する情報である移動記録情報であり、ユーザを識
別する情報であるユーザ識別情報が対応付いた２以上の移動記録情報と、当該ユーザ識別
情報により識別されるユーザに関するランキングおよび当該移動記録情報に関するランキ
ングのいずれか一方または両方とが格納されるサーバ格納部にアクセス可能なコンピュー
タを、
前記ユーザ識別情報が対応付いた前記移動記録情報を受信するサーバ受信部、
前記サーバ受信部が受信した移動記録情報を、前記サーバ格納部に蓄積するサーバ蓄積部
、
前記サーバ格納部に格納されている２以上の移動記録情報を用いて、当該移動記録情報に
対応付いているユーザ識別情報により識別されるユーザに関するランキングおよび当該移
動記録情報に関するランキングのいずれか一方または両方を作成するサーバ作成部として
機能させ、
前記サーバ蓄積部では、
前記サーバ作成部が作成したランキングをも、前記サーバ格納部に蓄積するためのプログ
ラム。
【手続補正２】
【補正対象書類名】明細書
【補正対象項目名】０２９６
【補正方法】変更
【補正の内容】
【０２９６】
また、図２２は、前述のプログラムを実行して、前述の実施の形態の情報処理装置等を
実現するコンピュータシステム９の概観図である。前述の実施の形態は、コンピュータハ
ードウェア、およびその上で実行されるコンピュータプログラムで実現され得る。
【手続補正３】
【補正対象書類名】明細書
【補正対象項目名】０２９７
【補正方法】変更
【補正の内容】
【０２９７】
図２２において、コンピュータシステム９は、ＣＤ−ＲＯＭドライブ９０１１を含むコ
ンピュータ９０１と、キーボード９０２と、マウス９０３と、モニタ９０４とを備える。
【手続補正４】
【補正対象書類名】図面
【補正対象項目名】図３
【補正方法】変更
【補正の内容】
【図３】
2016181073.tif 000001
【手続補正５】
【補正対象書類名】図面
【補正対象項目名】図７
【補正方法】変更
【補正の内容】
【図７】
2016181073.tif 000002
【手続補正６】
【補正対象書類名】図面
【補正対象項目名】図８
【補正方法】変更
【補正の内容】
【図８】
2016181073.tif 000003